(57)【要約】【課題】データネットワークを通じた通信のための通信デバイスの設定に関する技術を提供する。【解決手段】通信のためのデバイスを設定する方法。本方法では、デバイスは、通信ネットワークにアクセスし、その後、ネットワーク要素において、デバイスに少なくとも１つの設定パラメータを設ける必要があることを検出することができる。次に、少なくとも１つの設定パラメータに関する情報が判断され、デバイスに送信される。次に、ネットワーク要素から受信した情報に従って、デバイスを設定することができる。【選択図】図２
2008533788.tif 000002
【特許請求の範囲】
【請求項１】
通信のためのデバイスを設定する方法であって、
デバイスにより通信ネットワークにアクセスする段階と、
ネットワーク要素において、少なくとも１つの設定パラメータを前記デバイスに設ける必要性を検出する段階と、
前記少なくとも１つの設定パラメータに関する情報を判断する段階と、
前記少なくとも１つの設定パラメータに関する前記情報を前記デバイスに送信する段階と、
前記ネットワーク要素から受信した前記情報に従って前記デバイスを設定する段階と、
を含むことを特徴とする方法。
【請求項２】
前記検出する段階は、少なくとも１つのアドレスパラメータを前記デバイスに設ける必要性を検出する段階を含み、前記判断する段階は、該少なくとも１つのアドレスパラメータに関する情報を判断する段階を含み、前記情報を送信する段階は、該少なくとも１つのアドレスパラメータに関する該情報を送信する段階を含むことを特徴とする請求項１に記載の方法。
【請求項３】
前記検出する段階は、少なくとも１つの設定パラメータを前記デバイスに設ける前記必要性の表示を該デバイスから受信した信号から検出する段階を含むことを特徴とする請求項１又は請求項２に記載の方法。
【請求項４】
データキャリアの設定に対して前記少なくとも１つの設定パラメータが前記デバイスに対して未知であるという表示を信号に含める段階を含むことを特徴とする請求項１から請求項３のいずれか１項に記載の方法。
【請求項５】
前記表示を含める前記段階は、前記データキャリアを設定するためのメッセージ内に付加的な情報要素を含める段階を含むことを特徴とする請求項４に記載の方法。
【請求項６】
前記表示を含める前記段階は、前記データキャリアを要求するメッセージの所定のフィールドを空のままにしておく段階を含むことを特徴とする請求項４又は請求項５に記載の方法。
【請求項７】
前記表示を含める前記段階は、ＩＰｖ４及びＩＰｖ６メッセージのいずれか一方の所定のオクテットを空のままにしておく段階を含むことを特徴とする請求項４から請求項６のいずれか１項に記載の方法。
【請求項８】
前記表示を含める前記段階は、前記データキャリアを要求するメッセージのフィールドに所定の表示を含める段階を含むことを特徴とする請求項４又は請求項５に記載の方法。
【請求項９】
前記少なくとも１つの設定パラメータは、ホームエージェントアドレス及びホームアドレスの少なくとも一方に関する情報を含むことを特徴とする請求項１から請求項８のいずれか１項に記載の方法。
【請求項１０】
前記少なくとも１つの設定パラメータは、ホームエージェントアドレス及びホームアドレスの少なくとも一方の「インターネットプロトコル」アドレスに関する情報を含むことを特徴とする請求項１から請求項９のいずれか１項に記載の方法。
【請求項１１】
前記ネットワーク要素は、ゲートウェイを含むことを特徴とする請求項１から請求項１０のいずれか１項に記載の方法。
【請求項１２】
前記ゲートウェイは、ＧＰＲＳネットワークのゲートウェイ、ＣＤＭＡ２０００ネットワークのゲートウェイ、及び無線ローカルエリアネットワークのゲートウェイのうちのいずれか１つを含むことを特徴とする請求項１１に記載の方法。
【請求項１３】
前記デバイスは、モバイルデバイスを含むことを特徴とする請求項１から請求項１２のいずれか１項に記載の方法。
【請求項１４】
前記設定する段階は、少なくとも１つのモバイルＩＰパラメータを用いて前記モバイルデバイスを設定する段階を含むことを特徴とする請求項１３に記載の方法。
【請求項１５】
前記デバイスの前記設定は、動的であることを特徴とする請求項１から請求項１４のいずれか１項に記載の方法。
【請求項１６】
前記少なくとも１つの設定パラメータに関する情報を判断する前記段階は、前記ネットワーク要素により外部データリポジトリからデータを取得する段階を含むことを特徴とする請求項１から請求項１５のいずれか１項に記載の方法。
【請求項１７】
プログラムがコンピュータ上で実行される時に請求項１から請求項１６のいずれか１項に記載の段階のいずれかを実行するようになったプログラムコード手段を含むことを特徴とするコンピュータプログラム。
【請求項１８】
少なくとも１つの設定パラメータを通信デバイスに設ける必要性を検出し、該少なくとも１つの設定パラメータに関する情報を判断し、かつ該少なくとも１つの設定パラメータに関する情報を該通信デバイスに送信するように設定されたネットワーク要素であって、
通信デバイスが、ネットワーク要素からの情報に基づいて自己を設定することができる、
ことを特徴とするネットワーク要素。
【請求項１９】
前記少なくとも１つの設定パラメータが必要であることの前記通信デバイスによる前記検出に応答して、該通信デバイスに該少なくとも１つの設定パラメータを設けるように設定されていることを特徴とする請求項１８に記載のネットワーク要素。
【請求項２０】
前記通信デバイスが、データキャリアを設定するための信号伝達内に、少なくとも１つの設定パラメータが該デバイスに対して未知であることの表示を含めたかを検出するように設定されていることを特徴とする請求項１９に記載のネットワーク要素。
【請求項２１】
付加的な情報要素が、前記通信デバイスによってデータキャリアに対する要求内に含められたかを検出するように設定されていることを特徴とする請求項１８から請求項２０のいずれか１項に記載のネットワーク要素。
【請求項２２】
データキャリアを要求するメッセージの所定のフィールドが、前記通信デバイスによって空のままにされているかを検出するように設定されていることを特徴とする請求項１８から請求項２１のいずれか１項に記載のネットワーク要素。
【請求項２３】
前記少なくとも１つの設定パラメータは、アドレス情報を含むことを特徴とする請求項１８から請求項２２のいずれか１項に記載のネットワーク要素。
【請求項２４】
前記アドレス情報は、ホームエージェントアドレス及びホームアドレスの少なくとも一方に関する情報を含むことを特徴とする請求項２３に記載のネットワーク要素。
【請求項２５】
ゲートウェイを含むことを特徴とする請求項１８から請求項２４のいずれか１項に記載のネットワーク要素。
【請求項２６】
前記ゲートウェイは、ＧＰＲＳネットワークのゲートウェイ、ＣＤＭＡ２０００ネットワークのゲートウェイ、及び無線ローカルエリアネットワークのゲートウェイのいずれか１つを含むことを特徴とする請求項２５に記載のネットワーク要素。
【請求項２７】
通信デバイスに前記少なくとも１つの設定パラメータを設ける必要があるかを検出するように設定されていることを特徴とする請求項１８から請求項２６のいずれか１項に記載のネットワーク要素。
【請求項２８】
請求項１８から請求項２７のいずれか１項によるネットワーク要素を含むことを特徴とする、通信デバイスにサービスを提供するためのデータ通信システム。
【請求項２９】
データネットワークとの通信のための通信デバイスであって、
アクセスネットワークとの通信のためのインタフェースと、
データキャリアを設定するための信号伝達内に、少なくとも１つの設定パラメータが通信デバイスに対して未知であることの表示を含め、通信デバイスに対する該少なくとも１つの設定パラメータに関して前記アクセスネットワークから受信した情報を解釈し、かつ該アクセスネットワークからの該情報に従って通信デバイスを設定するように構成されたコントローラと、
を含むことを特徴とする通信デバイス。
【請求項３０】
前記インタフェースは、前記アクセスネットワークとの無線通信のための無線部を含むことを特徴とする請求項２９に記載の通信デバイス。
【請求項３１】
モバイルＩＰノードを含むことを特徴とする請求項３０に記載の通信デバイス。
【請求項３２】
前記アクセスネットワークシステムからの前記情報は、ホームエージェントＩＰアドレス及びホームＩＰアドレスの少なくとも一方を含むことを特徴とする請求項３１に記載の通信デバイス。
【請求項３３】
前記コントローラは、前記アクセスネットワークからの設定情報に基づいて通信デバイスを動的に設定するように構成されていることを特徴とする請求項２９から請求項３２のいずれか１項に記載の通信デバイス。
【発明の詳細な説明】
【技術分野】
【０００１】
本発明は、データネットワークを通じた通信のための通信デバイスの設定に関する。
【背景技術】
【０００２】
通信システムは、ユーザ端末装置（モバイル又は固定）又は他の通信デバイス、及び／又はネットワークエンティティ、及び通信システムに関連付けられた他のノードのような２つ又はそれよりも多くのエンティティ間の通信を可能にする設備である。通信は、例えば、音声、電子メール（Ｅメール）、テキストメッセージ、データ、及びマルチメディアなどの通信を含むことができる。
通信システムは、通常、システムの様々な要素が何を行うように許可されているか、及びこれをいかに達成すべきかを規定する所定の規格又は所定の仕様の組に従って作動する。例えば、規格又は仕様は、ユーザ又はより正確にはユーザ装置に回線交換ベアラ又はパケット交換ベアラ又はその両方が設けられているかを規定することができる。接続に関して使用されるべき通信プロトコル及び／又はパラメータもまた、通常は規定される。例えば、ユーザ装置と通信ネットワークの要素との間で通信を実施すべき方式は、通常、所定の通信プロトコルに基づいている。すなわち、ユーザ装置が通信システムを通じて通信することができるように、通信の基礎にすることができる特定の組の「規則」を定義する必要がある。
【０００３】
通信は、固定回線及び／又は無線通信インタフェースによって提供することができる。無線通信を提供する通信システムの例は、公衆地上移動ネットワーク（ＰＬＭＮ）である。他の例は、様々な無線ローカルエリアネットワーク（ＷＬＡＮ）及び衛星ベースのシステムを含む。固定回線通信を提供する通信システムの例は、公衆交換電話ネットワーク（ＰＳＴＮ）、ケーブルネットワーク、及びデジタル加入者線（ＤＳＬ）ネットワークなどを含む。
【０００４】
ユーザ装置に無線通信を提供する通信システムは、そのユーザに対して少なくともある程度のモビリティを可能にする。より高度なモビリティサポートは、通常、強化機能として追加することができる。無線システムの例は、公衆地上移動ネットワーク（ＰＬＭＮ）である。ＰＬＭＮは、一般的に、セルラー技術に基づいている。セルラーシステムでは、基地局（ＢＴＳ）又は同様のアクセスエンティティは、これらのエンティティ間の無線インタフェースを通してモバイル通信デバイス又はユーザ装置（ＵＥ）にサービスを提供する。ユーザ装置と通信ネットワークの要素との間の無線インタフェース上の通信は、適切な通信プロトコルに基づくことができる。基地局機器及び通信に必要な他の機器の作動は、１つ又はいくつかの制御エンティティによって制御することができる。様々な制御エンティティは、相互接続することができる。セルラーアクセスネットワークを他のネットワーク、例えば、公衆交換電話ネットワーク（ＰＳＴＮ）、及び／又はＩＰ（インターネットプロトコル）のような他の通信ネットワーク、及び／又は他のパケット交換データネットワークに接続するために、１つ又はそれよりも多くのゲートウェイノードを設けることができる。このような配置においては、モバイル通信ネットワークは、無線ユーザ装置を有するユーザが外部ネットワーク、ホスト、又は特定のサービスプロバイダによって提供されるサービスにアクセスすることを可能にするアクセスネットワークを提供する。
【０００５】
パケットデータネットワークでは、ネットワーク上でトラフィックフローを搬送するために、パケットデータキャリア又はベアラを確立することができる。このようなパケットデータキャリアの例は、パケットデータプロトコル（ＰＤＰ）コンテキストである。
いわゆる第３世代（３Ｇ）通信システムが導入されている。これらのいわゆる第３世代システムは、符号分割多元接続技術を用いる。第３世代通信システムの例は、第３世代パートナーシッププロジェクト（３ＧＰＰ）又は第３世代パートナーシッププロジェクト２（３ＧＰＰ２）による仕様に従って作動するシステムを含む。
【０００６】
セルラーパケットデータネットワークは、ＷＬＡＮのような他の無線ネットワークシステムと統合することができる。統合により、共通認証、共通課金、共通サービス、及びアクセスネットワークにわたるモビリティのような機能を提供することができる。アクセスネットワークにわたるモビリティは、適切なプロトコル、例えば、モバイル「インターネットプロトコル」（モバイルＩＰ）を用いることで有効にすることができる。
【０００７】
モバイルＩＰの重要な機能は、一般的にモバイルノード（ＭＮ）と呼ばれる通信デバイスが訪問先ネットワークを通じて通信し、かつこれにわたって移動することができ、同時に依然として自己のホームＩＰアドレスを通じて到達可能であることである。ホームＩＰアドレスは、通信デバイスをそのホームネットワークに関連付ける。モバイルデバイスは、そのホームネットワークから離れて存在するが、ホームエージェントが、モバイルデバイスのＩＰパケットをモバイルデバイスへ及びそこからトンネリングする。ホームエージェントは、「ｒｏｕｔｅｒ．ａｇｅｎｔ」によって設けることができる。
【０００８】
モバイルＩＰの導入により、通信デバイスが訪問先ネットワークから取得する気付アドレスは、「モバイルＩＰ」プロトコル層よりも上位のプロトコル層に対して隠蔽される。「モバイルＩＰ」バージョン４（ＩＰｖ４）仕様は、作動の２つの主要なモード：モバイルデバイスがトンネリング／トンネリング解除作動を行う共有気付アドレスモード、及び訪問先ネットワークの「外部エージェント」エンティティがモバイルデバイスに代わってトンネリング／トンネリング解除作動を行う第２モードを含む。「モバイルＩＰ」バージョン６（ＩＰｖ６）は、共有気付アドレスモードだけをサポートする。モバイルデバイスは、それらがモバイルＩＰ機能性を利用することができる前に、ホーム「インターネットプロトコル（ＩＰ）」アドレス及びホームエージェントＩＰアドレスを用いてモバイルデバイスを設定する必要がある。
【０００９】
３ＧＰＰによる第３世代セルラーネットワーク仕様では、モバイルデバイスは、ＧＰＲＳネットワークを通じてＰＤＰコンテキストを設定することにより、又はＷＬＡＮネットワークを通じてＩＰｓｅｃトンネルを設定することにより、３ＧＰＰ−ＷＬＡＮマルチアクセスネットワークに接続することができる。ＰＤＰコンテキストのようなデータキャリアを設定する時には、モバイルデバイスには、ＰＤＰコンテキスト起動手順中にＩＰアドレスが割り当てられる。ＷＬＡＮネットワークを通じてＩＰｓｅｃトンネルを設定する時には、モバイルデバイスには、信号伝達段階中、例えば、ＩＫＥｖ２（「インターネット鍵交換」バージョン２）信号伝達中に、ネットワークノード、例えば、「パケットデータゲートウェイ（ＰＤＧ）」によってＩＰアドレスが割り当てられる。「モバイルＩＰ」に基づくアクセス間デバイス−モビリティソリューションが、このアーキテクチャの上にオーバーレイされる場合、これらのアドレスは、「モバイルＩＰ」気付アドレスを意味することになる。しかし、作動するためには、「モバイルＩＰ」クライアントもまた、「ホームエージェントＩＰ」アドレス及び「ホームＩＰアドレス」を用いて設定する必要がある。３ＧＰＰ２による第３世代セルラーネットワーク仕様では、モバイルデバイスは、ＣＤＭＡ２０００パケットデータネットワークを通じて「ポイントツーポイント」プロトコル（ＰＰＰ）接続を設定することにより、又はＷＬＡＮネットワークを通じてＩＰｓｅｃトンネルを設定することにより、３ＧＰＰ２−ＷＬＡＮマルチアクセスネットワークに接続することができる。ＰＰＰ接続のようなデータキャリアを設定する時には、モバイルデバイスには、「インターネットプロトコル（ＩＰ）」アドレスが割り当てられる。ＷＬＡＮネットワークを通じてＩＰｓｅｃトンネルを設定する時には、モバイルデバイスには、信号伝達段階中、例えば、ＩＫＥｖ２（「インターネット鍵交換」バージョン２）信号伝達中に、ネットワークノード、例えば、「パケットデータインターワーキング機能（ＰＤＩＦ）」によってＩＰアドレスが割り当てられる。「モバイルＩＰ」に基づくアクセス間デバイス−モビリティソリューションが、このアーキテクチャの上にオーバーレイされる場合、これらのアドレスは、モバイルＩＰ気付アドレスを意味することになる。しかし、作動するためには、モバイルＩＰクライアントもまた、「ホームエージェントＩＰ」アドレス及び「ホームＩＰアドレス」のようなパラメータを用いて設定する必要がある場合がある。
【００１０】
実際のシステムでは、これらのパラメータをモバイルユーザ装置のような通信デバイスにおいて動的に設定することができることも要求される場合があるであろう。しかし、ホームエージェントアドレスの動的設定及び／又はホームアドレスの動的割り当てのための既存仕様は、訪問先ネットワークにおける「外部エージェント」の使用を必要とする。本発明の実施形態の目的は、「外部エージェント」の支援を必要としないモバイルＩＰｖ４及びモバイルＩＰｖ６パラメータの動的設定のための機構を形成することである。
【発明の開示】
【発明が解決しようとする課題】
【００１１】
データネットワークを通じた通信のための通信デバイスの設定に関する技術を提供する。
【課題を解決するための手段】
【００１２】
実施形態により、通信のためのデバイスを設定する方法を提供する。本方法は、デバイスにより通信ネットワークにアクセスする段階と、少なくとも１つの設定パラメータをデバイスに設ける必要性をネットワーク要素において検出する段階と、少なくとも１つの設定パラメータに関する情報を判断する段階と、少なくとも１つの設定パラメータに関する情報をデバイスに送信する段階とを含む。次に、デバイスは、ネットワーク要素から受信した情報に従って設定される。
別の実施形態は、少なくとも１つの設定パラメータを通信デバイスに設ける必要性を検出し、少なくとも１つの設定パラメータに関する情報を判断し、かつ少なくとも１つの設定パラメータに関する情報を通信デバイスに送信するように構成されたネットワーク要素を提供する。
実施形態において、データネットワークとの通信のための通信デバイスが提供される。通信デバイスは、アクセスネットワークとの通信のためのインタフェースと、少なくとも１つの設定パラメータが通信デバイスに対して未知であることの表示をデータキャリア設定のための信号伝達内に含め、通信デバイスに対する少なくとも１つの設定パラメータに関してアクセスネットワークから受信した情報を解釈し、かつアクセスネットワークからの情報に従って通信デバイスを設定するように構成されたコントローラとを含む。
【００１３】
より特定的な実施形態では、付加的な情報要素が、データキャリア設定のためのメッセージ内に含められる。
データキャリアを要求するメッセージの所定のフィールドは、空のままにしておくことができる。ＩＰｖ４又はＩＰｖ６メッセージの所定のオクテットも、空のままにしておくことができる。代替的に、データキャリアを要求するメッセージのフィールドに、所定の表示を含めることができる。
【００１４】
ネットワーク要素は、ゲートウェイ、例えば、ＧＰＲＳ又はＣＤＭＡ２０００ネットワークのゲートウェイ、又は無線ローカルエリアネットワークのゲートウェイを含むことができる。通信デバイスは、モバイルデバイス、例えば、モバイルＩＰノードとすることができる。
通信デバイスの設定は、動的とすることができる。
少なくとも１つの設定パラメータに関する情報は、ネットワーク要素により、外部アドレスデータリポジトリから取得することができる。
【００１５】
本発明の実施形態は、通信デバイス、例えば、３ＧＰＰ−ＷＬＡＮマルチアクセスネットワークにおいてモバイルＩＰプロトコルを使用する通信デバイスを動的に設定する方法を提供することができる。訪問先ネットワークにおけるエージェントの使用の必要性は、回避することができる。更に、モバイルＩＰｖ４及びモバイルＩＰｖ６の両方の設定に対して、同じ機構を適用可能とすることができる。
本発明及びその達成することができる方法をより良く理解するために、ここで例証としてのみ添付図面を以下に参照する。
【発明を実施するための最良の形態】
【００１６】
本発明の理解を助けるために、第３世代パートナーシッププロジェクト（３ＧＰＰ）によって規定される要素に準拠して、実施可能な基礎的な通信システムについて最初に説明する。少なくとも１つの３ＧＰＰモバイル通信ネットワークを含むセルラー通信システム及び無線ローカルエリアネットワークの例示的なアーキテクチャを参照して、ある一定の実施形態について例示的に説明するが、実施形態は、本明細書に示して説明する通信システム以外のあらゆる適切な形態の通信システムに適用することができることに注意されたい。
【００１７】
モバイルデバイスは、モバイルＩＰプロトコルに基づいて様々なサービスを利用することができる。明確にするために、図１には、モバイルデバイスに利用可能なサービスをクラウド４０で示している。サービスは、例えば、「インターネット」を通じて提供することができ、従って、クラウド４０は、例えば、ＩＰベースのデータネットワークシステムを示すと理解することができる。
セルラーシステムは、通常、ユーザ装置と通信システムの基地局との間の無線インタフェースを通じて複数のモバイルユーザ装置にサービスを提供するように構成される。図１には、モバイル通信ネットワーク３２の一部の要素が示されている。通常作動では、セルラー通信ネットワークは、サポートノード３３とモバイルユーザ装置３０との間のパケット交換ドメインでパケット交換データ送信を提供する。ネットワーク３２は、次に、ゲートウェイＧＰＲＳサポートノード（ＧＧＳＮ）３４を通じて外部データネットワーク、例えば、「インターネット」に接続される。ＧＰＲＳサービスにより、モバイル通信デバイスと外部データネットワークとの間でパケットデータの送信が可能になる。少なくとも１つのゲートウェイに加え、３Ｇネットワークは、いくつかのパケットデータサービスノード（ＳＮ）も含む。ここに示す実施形態では、サービスノードは、サービングＧＰＲＳサポートノード（ＳＧＳＮ）と呼ばれる。
【００１８】
ノード３３の各々は、少なくとも１つのモバイルアクセスネットワーク、通常は、基地局システム３１に接続される。基地局３１は、各無線インタフェースを通じてモバイルデバイス３０と信号を送受信するように構成される。同様に、各モバイルデバイスは、無線インタフェースを通じて基地局と信号を送受信することができる。
無線アクセスネットワーク内の通信デバイスは、一般的に無線ベアラと呼ばれる無線ネットワークチャンネルを通じて無線ネットワークコントローラと通信することができる。モバイルユーザ装置のような各モバイルデバイスは、どの時点においても、無線ネットワークコントローラとの１つ又はそれよりも多くの無線チャンネルをオープンにしておくことができる。「インターネット」プロトコル（ＩＰ）通信用に適応させたあらゆる適切なモバイルデバイスを用いて、ネットワークに接続することができる。例えば、ユーザは、パーソナルコンピュータ、携帯情報端末（ＰＤＡ）、移動局（ＭＳ）、携帯用コンピュータ、又はこれらの組合せなどのような通信デバイスを用いてセルラーネットワークにアクセス可能である。
【００１９】
モバイル通信デバイスは、電話通話の送受のような様々なタスク、ネットワークとのデータの送受信、及び例えばマルチメディア又は他のコンテンツを体験するために使用することができる。通信デバイスは、通常、これらのタスクを達成するためにプロセッサ及びメモリを備えている。ユーザ装置の作動は、キーパッド、音声指令、タッチスクリーン又はパッド、又はこれらの組合せなどのような適切なユーザインタフェースを用いて制御することができる。
【００２０】
アクセスエンティティのユーザ装置とＧＧＳＮの間の通信全体は、ＰＤＰ（パケットデータプロトコル）コンテキストによって提供することができる。各ＰＤＰコンテキストは、特定のユーザとＧＧＳＮの間の通信経路を提供する。ＰＤＰコンテキストが確立された状態で、通常、複数のフローを搬送することができる。各フローは、一般的に、例えば、特定のサービス、及び／又は特定のサービスの媒体構成要素を表している。従って、ＰＤＰコンテキストは、ネットワークにわたる１つ又はそれよりも多くのフローの論理通信経路を表すことがある。ユーザ装置とサービングＧＰＲＳサポートノードの間にＰＤＰコンテキストを実施するには、一般的に、ユーザ装置のデータ転送を可能にする無線アクセスベアラを確立する必要がある。
【００２１】
図１はまた、ＷＬＡＮネットワーク３８も示している。ＰＤＰの代わりに、通信デバイス３６は、ＩＰｓｅｃプロトコルに基づくＷＬＡＮ３８を通じて通信システムにアクセス可能である。各ＷＬＡＮには、少なくとも１つのアクセスポイント３７及びパケットデータゲートウェイ３９が設けられる。データキャリアは、いわゆるＩＰｓｅｃトンネルを用いて提供される。モバイル通信デバイス３６とパケットデータゲートウェイ３９の間のＩＰｓｅｃトンネルを折衝及び管理するために、「インターネット鍵交換（ＩＫＥｖ２）」信号伝達を使用することができる。パケットデータゲートウェイ３９は、ＷＬＡＮをＩＰベースのサービスネットワーク４０に接続することができる。
【００２２】
実施例に照らすと、モバイルＩＰホームネットワークは、モバイルデバイスのホームＩＰアドレスに対応する「インターネットプロトコル（ＩＰ）」サブネットワークによって提供されると理解される。例えば、ＧＧＳＮ３４によって割り当てられるＩＰアドレスは、「ホームネットワーク」になるサブネットワークからとすることができる。このような場合、モバイルデバイスは、ＧＰＲＳ３２の使用時には「在宅中」であると考えられる。ＰＤＧ３９によって割り当てられるアドレスに対しては、モバイルデバイスは「外出中」であろう。代替的に、ホームＩＰサブネットワークは、実際には、モバイルデバイスが決して訪れることのないサブネットワークと見なすことができる。このような場合、モバイルデバイスは、ＧＰＲＳ３２又はＷＬＡＮ３８の使用中は、常に「外出中」である。
【００２３】
図２は、ホームネットワーク以外のネットワークを訪問中のモバイルユーザ装置（ＵＥ）のようなモバイルデバイスが、段階１０２で、データキャリア要求信号を送るための適切なメッセージの準備を開始する実施形態を示している。モバイルデバイスは、必要な全ての設定パラメータを認識しておらず、より詳細には、少なくとも１つのアドレスパラメータが設定に必要なことを検出する。従って、モバイルデバイスは、段階１０４で、少なくとも１つのアドレスパラメータが自己の設定に必要であることの表示を信号伝達に含める。信号伝達は、段階１０６で、ゲートウェイのような適切なネットワーク要素によって受信される。
【００２４】
本発明の原理によれば、ネットワーク要素は、通信デバイスに少なくとも１つの設定パラメータを設ける必要があることを段階１０８で検出する。上述の実施形態では、ネットワーク要素は、信号伝達が所定の表示を含むことを検出する。ネットワーク要素は、次に、適切なアドレスパラメータを段階１１０で判断し、少なくとも１つのアドレスパラメータに関する情報を段階１１２でモバイルユーザ装置に送信する。モバイルユーザ装置は、次に、少なくとも１つのアドレスパラメータに関する情報に従って、段階１１４で自己を設定する。
【００２５】
以下の実施形態は、３ＧＰＰ−ＷＬＡＮインターワーキングマルチアクセス環境の関連において、訪問中のモバイルデバイスにホームエージェントアドレス及びホームＩＰアドレスのようなパラメータを動的に割り当てるための機構の実施例を詳細に表している。各機構では、少なくとも１つのパラメータが必要であることの表示は、データキャリア設定のための信号伝達に結合される。
関連機構は、アクセス手法に基づいて選択することができる。例示的な機構では、モバイルデバイスが、必要なモバイルＩＰパラメータの割り当てを要求し、応答側が、これらのパラメータの適切な値で応答することができるように、ＧＰＲＳのＰＤＰコンテキスト起動手順の信号伝達に新しい情報要素が導入される。別の例示的な機構では、モバイルデバイスが、必要なモバイルＩＰパラメータの割り当てを要求し、応答側が、これらのパラメータの適切な値で応答することができるように、ペイロード、例えば「ＩＫＥｖ２設定ペイロード」に新しい設定属性を含める。
【００２６】
以下では、図３の信号伝達流れ図を参照する。ＧＰＲＳネットワークを通じて接続する場合、モバイルＩＰパラメータの設定は、以下の方法で進めることができる。モバイルデバイスがモバイルＩＰを利用したい場合、モバイルデバイスは、ＰＤＰコンテキスト管理メッセージ１、例えば、「起動」又は「変更」メッセージに、「ホームアドレス」及び／又は「ホームエージェントＩＰ」アドレス情報要素を含めることができる。このような情報要素の例を、図５及び図６に示している。必要とする情報を持たないことを示すために、モバイルデバイスは、ＩＰアドレスフィールドを空のままにしておくことができる。モバイルデバイスは、次に、ネットワークに対してこれらのパラメータの割り当てを要求していることを示すために、データキャリア設定のための信号伝達１と共にこの情報要素を送信する。
【００２７】
次に、メッセージは、ＳＧＳＮによって受信され、ＳＧＳＮは、次に、この要求をメッセージ２としてＧＧＳＮに中継する。ＧＧＳＮは、メッセージ２の情報要素内の空の値を各パラメータの割り当て要求と解釈する。ＧＧＳＮは、内部リポジトリを調べることにより、又は「認証」、「許可」、及び「課金」プロトコル（ＡＡＡ）、例えば、ＲＡＤＩＵＳ又はＤＩＡＭＥＴＥＲ又は「動的ホスト設定プロトコル（ＤＨＣＰ）」サーバのようなリモートリポジトリに向けて信号伝達することにより、要求されたパラメータの適切な値を判断することができる。
【００２８】
ＧＧＳＮが適切な値を判断した状態で、ＧＧＳＮは、判断した値を有する「ホームアドレス」及び／又は「ホームエージェントＩＰ」アドレス情報要素を含む「ＰＤＰコンテキスト応答」メッセージ３を送信することができる。このメッセージは、ＳＧＳＮによって受信され、これは、次に、この応答をモバイルデバイスに向けてメッセージ４で中継する。
「ＰＤＰコンテキスト応答」メッセージ４を受信すると、モバイルデバイスのコントローラは、メッセージで搬送されてきた情報要素を解釈する。モバイルデバイスは、次に、これに従ってパラメータを設定することができる。
【００２９】
図４は、ＩＰｓｅｃ接続を用いてＷＬＡＮ又は他のあらゆる適切なアクセス技術を通じて接続する際に実施可能な信号伝達フローを示している。この場合、モバイルデバイスの「モバイルＩＰ」パラメータの設定は、モバイルデバイスが「モバイルＩＰ」を利用したい時には、ＩＫＥｖ２信号伝達手順において「設定要求ペイロード」要素を含める方法で進めることができ、メッセージ１１を参照されたい。この「設定要求ペイロード」要素は、必要に応じて、例えば、以下の属性タイプを含むことができる。
【００３０】
（表）
2008533788.tif 000003
【００３１】
モバイルデバイスは、「設定要求ペイロード」要素の「値」フィールドを空にしておくことにより、それがネットワークに対してこれらのパラメータの設定を要求していることを示すことができる。上述の例では、文字「ＴＢＤ」は、値はないが、情報が「未定」であることを示している。
属性の識別子の値は、ＩＥＴＦ（インターネット・エンジニアリング・タスクフォース）の標準化の課題であることに注意されたい。標準化された値の代替として、プライベート範囲の値もまた指定することができる。従って、相互に同意した当事者は、例えば、これを「モバイルＩＰ」に基づく３ＧＰＰ−ＷＬＡＮインターワーキングの関連で実施することができる。
【００３２】
パケットデータゲートウェイ（ＰＤＧ）は、「ＩＰｓｅｃリモートアクセスサーバ」の役目を果たすことができ、従って、ＩＫＥｖ２「設定要求ペイロード」要素を受信する。ＰＤＧは、次に、適切な段階において、要求されたパラメータの値を含むＩＫＥｖ２「設定応答ペイロード」要素で応答することができ、メッセージ１３を参照されたい。ＰＤＧは、内部リポジトリを調べることにより、又は「認証」、「許可」、及び「課金」（ＡＡＡ）又は例えばＤＨＣＰサーバのようなリモートリポジトリに向けて信号伝達することにより、適切な値を判断することができる。「認証」、「許可」、及び「課金」サーバは、適切なプロトコルを用いて、ＧＧＳＮ及び／又はＰＤＧと通信することができるサーバを参照する。数あるパラメータの中でも特に、ＡＡＡサーバは、モバイルノードのモバイルＩＰパラメータを格納することができる。ＧＧＳＮ／ＰＤＧは、適切なＡＡＡサーバにコンタクトし、所定のアイデンティティのモバイルノードに関して必要な設定パラメータを要求することができる。これは、ＧＧＳＮ／ＰＤＧが、要求されたパラメータを取り出すことのできる実施可能な方法の単に一例であることに注意されたい。
【００３３】
上述の機構は、モバイルデバイス、ＳＧＳＮ、ＧＧＳＮ、及びＰＤＧのようなノードに一部の修正を必要とする場合がある。モバイルデバイス、ＳＧＳＮ、及びＧＧＳＮにＰＤＰコンテキストエンジンを実施する場合、ＰＤＰコンテキスト信号伝達に導入される新しい情報要素を送信、解釈、利用することができるようにすべきである。モバイルデバイス及びＳＧＳＮにおける「ＧＰＲＳセッション」処理層実施、及びＳＧＳＮ及びＧＧＳＮにおけるＧＴＰ−Ｃ層実施は、上述の拡張機能をサポートする必要がある場合がある。モバイルデバイス及びＰＤＧにおけるＩＫＥｖ２プロトコル実施は、新しい設定属性を送信、解釈、利用可能にする必要がある場合がある。
【００３４】
以下では、ＧＰＲＳシステムの「ホームアドレス」及び「ホームエージェント」アドレス「情報要素」に関するいくつかの例について説明する。図５の情報要素では、タイプフィールドは、情報要素のタイプを識別する８ビットフィールドである。「ＩＰｖ４ホームアドレス」及び「ＩＰｖ４ホームエージェント」アドレスに関して、それぞれ２つの異なる値を含めることができる。長さフィールドは、オプションの長さを示す別の８ビットフィールドである。これは、４に設定することができる。ＩＰｖ４アドレスフィールドは、「ＩＰｖ４ホームアドレス」か、又はモバイルデバイスに割り当てられた「ＩＰｖ４ホームエージェント」アドレスのいずれかを含む４バイトフィールドとすることができる。このフィールドが空にされている場合、これは、「ＩＰｖ４ホームアドレス」又は「ＩＰｖ４ホームエージェント」アドレスの割り当て要求を示している。これらのパラメータの各々は、自己の情報要素を必要とする場合がある。
【００３５】
図６は、「ＩＰｖ６ホームアドレス」及び「ＩＰｖ６ホームエージェント」アドレス「情報要素」を示している。ＩＰｖ４要素との相違は、長さフィールドが１６に設定される点である。次に、ＩＰｖ６アドレスフィールドは、「ＩＰｖ６ホームアドレス」又はモバイルデバイスに割り当てられた「ＩＰｖ６ホームエージェント」アドレスを通常は収容する１６バイトフィールドである。このフィールドが空にされている場合、これは、「ＩＰｖ６ホームアドレス」又は「ＩＰｖ６ホームエージェント」アドレスの割り当てを要求する表示の役目を果たす。
【００３６】
必要なデータ処理機能は、１つ又はそれよりも多くのデータプロセッサを用いて提供することができる。適切に適応させたコンピュータプログラムコード製品は、コンピュータ、例えば、通信デバイスのプロセッサ及び／又は作動に関連付けられた他のノードのいずれかにロードされた時に、実施形態を実施するのに使用することができる。プログラムコード手段は、例えば、メッセージ及び／又は情報要素の生成、及び解釈などを実行することができる。作動を提供するためのプログラムコード製品は、キャリアディスク、カード、又はテープのようなキャリア媒体上に格納し、これを用いて提供することができる。可能性としては、データネットワークを通じてプログラムコード製品をダウンロードする方法がある。
【００３７】
本発明の実施形態は、移動局のような通信デバイスに関連して説明したが、本発明の実施形態は、通信ネットワークを通じた通信に適する他の適切なあらゆるタイプのデバイスに適用可能であることに注意されたい。
上述の実施例は、要求−応答モデルに関連するが、設定情報は、デバイスにプッシュすることができることにも注意されたい。例えば、ネットワーク要素は、データベース又は自己の設定値に基づいて、通信デバイスに対して設定情報を提供する必要があることを検出することができる。このモデルでは、通信デバイスによる特定の要求は必要ない。
上述のアドレスパラメータは例にすぎず、同様の機構によってあらゆる設定パラメータを設けることができることにも注意されたい。
【００３８】
本発明の開示に示して説明した例示的な実施形態は、ＵＭＴＳ（ユニバーサルモバイルテレコミュニケーションシステム）、ＣＤＭＡ２０００システム、及び無線ローカルエリアネットワークのような第３世代（３Ｇ）ＷＣＤＭＡ（広帯域符号分割多元接続）ネットワークの用語を使用しているが、提案するソリューションの実施形態は、例えば、ＩＰｓｅｃトンネルにアクセスシステムを提供するために本発明の実施形態の手段によって利点を得ることができるあらゆる通信システムで使用することができることに注意されたい。
上記は、本発明の例示的な実施形態を説明しているが、特許請求の範囲で規定される本発明の範囲から逸脱することなく、開示したソリューションに対して行うことができるいくつかの変形及び修正が存在することにも注意されたい。
【図面の簡単な説明】
【００３９】
【図１】複数のネットワークを含む通信システムの概略図である。
【図２】本発明の実施形態による作動の流れ図である。
【図３】ある一定の実施形態による信号伝達流れ図である。
【図４】ある一定の実施形態による信号伝達流れ図である。
【図５】実施形態を実行するのに採用することができる情報要素の例を示す図である。
【図６】実施形態を実行するのに採用することができる情報要素の例を示す図である。
【符号の説明】
【００４０】
１００  段階
ＵＥ  モバイルデバイス
ＮＷ  ネットワーク
【図１】
2008533788.tif 000004
【図２】
2008533788.tif 000005
【図３】
2008533788.tif 000006
【図４】
2008533788.tif 000007
【図５】
2008533788.tif 000008
【図６】
2008533788.tif 000009
【国際調査報告】
2008533788.tif 000010
2008533788.tif 000011
2008533788.tif 000012